(57)【要約】【課題】  デジタルテレビ放送を視聴しているときに、用語の説明を出力させて、テレビ放送の内容を理解しやすくする。【解決手段】  放送コンテンツ処理装置であって、放送コンテンツから用語を抽出する抽出手段、用語を表示する表示手段、用語を選択する選択手段、用語の説明を取得する説明取得手段、用語の説明を出力する出力手段を備え、放送コンテンツを鑑賞中に、用語の表示を指示すると、前記放送コンテンツから前記抽出手段によって用語群を抽出し、該用語群を前記表示手段によって表示し、前記選択手段により前記用語群から用語を選択し、該用語の説明を前記説明取得手段によって取得して、前記出力手段により前記用語の説明を出力する。【選択図】  図１
2006262245.tif 000002
【特許請求の範囲】
【請求項１】
放送コンテンツを解析し、用語を抽出する抽出手段、
抽出した用語を選択可能に表示する表示手段、
検索対象の用語を選択する用語選択手段、
選択された用語に基づき用語の説明を取得する説明取得手段、
用語の説明を前記表示手段へ出力する出力手段
を含むことを特徴とする放送コンテンツ処理装置。
【請求項２】
前記抽出手段は、前記放送コンテンツの表示中に用語の表示を要求する用語表示要求を受信すると、前記放送コンテンツから用語群を抽出し、
前記表示手段は該用語群を表示する、
ことを特徴とする請求項１記載の放送コンテンツ処理装置。
【請求項３】
前記用語選択手段は、検索対象の用語を決定する用語選択要求を受信すると、前記用語群から検索対象の用語を選択し、選択された用語のデータを前記説明取得手段へ渡す、
ことを特徴とする請求項２記載の放送コンテンツ処理装置。
【請求項４】
前記用語表示要求を受信したとき、前記表示手段への放送コンテンツの出力を停止させ、用語群を前記表示手段に表示させる制御手段を更に備え、
前記制御手段は用語の説明を前記表示手段へ出力後に、記憶された放送コンテンツを再生する、
ことを特徴とする請求項２または３記載の放送コンテンツ処理装置。
【請求項５】
放送コンテンツを一時的に記憶する記憶手段をさらに備え、前記用語表示要求を受信したとき、前記制御手段により前記表示手段への放送コンテンツの出力を停止させるとともに、前記記憶手段を利用して、放送コンテンツを継続的に記憶させ、用語の説明を前記表示手段へ出力後に、前記記憶手段に記憶された放送コンテンツの再生をする、
ことを特徴とする請求項４記載の放送コンテンツ処理装置。
【請求項６】
前記説明取得手段は、通信回線を通じてインターネットと接続するインターネット接続手段とインターネット上の検索エンジンが処理可能なデータ形式に用語のデータ形式を変換する検索エンジン連動手段とを含み、
前記インターネット接続手段はインターネットに接続し、
前記検索エンジン連動手段は、所定の検索エンジンを利用して選択された用語を検索キーとして検索を実行し、該検索結果を用語の説明として前記出力手段へ出力する、
ことを特徴とする請求項１記載の放送コンテンツ処理装置。
【請求項７】
前記抽出手段は、放送コンテンツの字幕から用語群を抽出することを特徴とする請求項１記載の放送コンテンツ処理装置。
【請求項８】
音声を文字列へ変換する音声認識手段を更に備え、
前記抽出手段は、前記音声認識手段により変換された文字列から用語群を抽出することを特徴とする請求項１記載の放送コンテンツ処理装置。
【請求項９】
放送コンテンツ処理装置における用語説明検索方法であって、放送コンテンツから用語群を抽出する抽出ステップと、該用語群を表示する表示ステップと、該用語群から用語を選択する選択ステップと、該用語の説明を取得する説明取得ステップと、該説明を前記表示手段へ出力する出力ステップとからなる用語説明検索方法。
【請求項１０】
放送コンテンツ処理装置における用語説明検索コンピュータプログラムであって、放送コンテンツから用語群を抽出する抽出プログラムコードと、該用語群を表示する表示プログラムコードと、該用語群から用語を選択する選択プログラムコードと、該用語の説明を取得する説明取得プログラムコードと、該説明を出力する出力プログラムコードとを含む用語説明検索コンピュータプログラム。
【発明の詳細な説明】
【技術分野】
【０００１】
本発明は、放送コンテンツに含まれる用語の処理技術に関するものである。
【背景技術】
【０００２】
特許文献１は、放送の字幕スーパーから字幕を抽出し、字幕に含まれる文字列の文字を文字認識し、認識された文字列を表示する字幕抽出装置を開示する。さらに、特許文献１は、障害者が見やすくなるように、認識された文字を拡大、変形、彩色などを行うことを開示する。
【特許文献１】特開２００３−３３３４４５号公報
【発明の開示】
【発明が解決しようとする課題】
【０００３】
テレビ放送などにおいて外国映画などを鑑賞（視聴）するとき、視聴者が日本語音声による吹き替えでなく、日本語の字幕によって会話の内容を理解する場合がある。しかし、字幕として表示された言葉の意味がわからない場合、視聴者は即座にその意味を調べることはできない。また、録画した映像を再生するときであれば、視聴者は再生を一時停止してその間に辞書などで調べることができるが、手間がかかる。
【０００４】
同様に、視聴者が放送の音声で理解する場合でも意味が不明な用語は多々ある。特に、近年においては、時代の変化が早いため、続々と新しい言葉が生まれている。そのため、たとえ知識の豊富な人であっても、意味のわからない用語が放送内容に含まれていることがある。
【０００５】
本発明は、テレビ放送などで意味のわからない用語があったときに、簡単に用語の説明を提示することを目的とする。
【課題を解決するための手段】
【０００６】
本発明は上記目的を達成するため、放送コンテンツを解析し、用語を抽出する抽出手段、抽出した用語を選択可能に表示する表示手段、検索対象の用語を選択する用語選択手段、選択された用語に基づき用語の説明を取得する説明取得手段、用語の説明を表示手段へ出力する出力手段を含むことを特徴とする。
【０００７】
本発明の放送コンテンツ処理装置における用語説明検索方法は、放送コンテンツから用語群を抽出する抽出ステップと、該用語群を表示する表示ステップと、該用語群から用語を選択する選択ステップと、該用語の説明を取得する説明取得ステップと、該説明を前記表示手段へ出力する出力ステップとからなることを特徴とする。
【０００８】
本発明の放送コンテンツ処理装置における用語説明検索コンピュータプログラムは、放送コンテンツから用語群を抽出する抽出プログラムコードと、該用語群を表示する表示プログラムコードと、該用語群から用語を選択する選択プログラムコードと、該用語の説明を取得する説明取得プログラムコードと、該説明を出力する出力プログラムコードとを含むことを特徴とする。
【発明の効果】
【０００９】
本発明は、テレビ放送などで意味のわからない用語があったときに、簡単に用語の説明を提示できる。
【発明を実施するための最良の形態】
【００１０】
[第１の実施の形態]
図１は、本発明の好適な実施の形態の１つであるデジタルテレビジョン受信機の構成図である。図１で、１０１は、地上波デジタル放送やＢＳデジタル放送などの電波を受信する受信アンテナ、１０２は希望の伝送チャンネルを選局する選局部、１０３はＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）で変調されている信号を復調するＯＦＤＭ復調部、１０４はリード・ソロモン符号により伝送中に生じた誤りを訂正する誤り訂正部、１０５は放送データのＴＳ（Ｔｒａｎｓｐｏｒｔ  Ｓｔｒｅａｍ）から、ＴＳに多重化されている映像データ、音声データ及び字幕データなどの付加データを分離する多重分離部、１０６は本発明の重要な処理である用語の処理をする用語処理部、１０７はＭＰＥＧ２（Ｍｏｖｉｎｇ  Ｐｉｃｔｕｒｅ  Ｅｘｐｅｒｔ  Ｇｒｏｕｐ  ２）で符号化されている映像データと音声データをデコードするＭＰＥＧデコード部、１０８は映像データと字幕データ、及び用語処理部１０６からの出力データを画像として重畳する画像重畳部、１０９は画像を表示するＰＤＰ（Ｐｌａｓｍａ  Ｄｉｓｐｌａｙ  Ｐａｎｅｌ）や液晶ディスプレイあるいはＳＥＤ（Ｓｕｒｆａｃｅ−ｃｏｎｄｕｃｔｉｏｎ  Ｅｌｅｃｔｒｏｎ−ｅｍｉｔｔｅｒ  Ｄｉｓｐｌａｙ）などからなる表示部、１１０は音声を出力するスピーカ、１１１は全体の制御をつかさどるＣＰＵ（Ｃｅｎｔｒａｌ  Ｐｒｏｃｅｓｓｏｒ  Ｕｎｉｔ）とプログラムや所定データなどを記憶するＲＯＭ（Ｒｅａｄ  Ｏｎｌｙ  Ｍｅｍｏｒｙ）及びＣＰＵの作業領域として使用するＲＡＭ（Ｒａｎｄａｍ  Ａｃｃｅｓｓ  Ｍｅｍｏｒｙ）、及びカウンタなどに使用するレジスタを含むＣＰＵ、１１２はインターネットとの通信を介する通信部、１１３は外部のインターネット、１１４はリモコンからの信号を受信するリモコン通信部である。
【００１１】
なお、１００はデジタルテレビ受信機を操作するリモコンである。リモコン１００は、電源スイッチ、チャンネル選択ボタン、音量調整ボタンなどのほか、用語説明ボタン、カーソル移動ボタン、決定ボタン、リスタートボタンを含む。ユーザである視聴者がリモコン１００のボタンを押すと、該当するボタンに関する制御信号がリモコン通信部１１４に送信される。ＣＰＵ１１１はリモコン通信部１１４を介して受信した制御信号に従って動作を実行する。
【００１２】
図２は、用語処理部１０６の内部構成を示す図である。２０１は第１バッファ２０２または第２バッファ２０３のいずれかを選択し、入力された放送データ（映像データ、音声データ、字幕データ）を転送するセレクタ、２０２は放送データを一時的に記憶する第１バッファ、２０３も放送データを一時記憶する第２バッファ、２０４は第１バッファ２０２または第２バッファ２０３のいずれかを選択して放送データを取り出すセレクタ、２０５はセレクタ２０４から受け取った字幕データから用語抽出をする用語抽出部（この中には構文解析辞書が含まれる）、２０６は用語選択部、２０７は用語の説明を取得する用語説明取得部、２０８は用語の辞書を記憶する用語辞書部、である。
【００１３】
なお、セレクタ２０１は多重分離部１０５と接続され、セレクタ２０４はＭＰＥＧデコード部１０７と接続され、用語抽出部２０５と用語選択部２０６は画像重畳部１０８と接続され、用語取得部２０７は通信部１１２を介してインターネット１１３と接続されている。
【００１４】
受信アンテナ１０１が放送チャンネルのデジタル放送の電波を受信すると、選局部１０２がテレビ視聴者が選局した放送チャンネルを選局する。そして、ＯＦＤＭ復調部１０３がその放送チャンネルの信号を復調し、誤り訂正部１０４が通信誤りを訂正する。多重分離部１０５はトランスポートストリームを映像データ、音声データ、字幕データに分離する。セレクタ２０１は、分離された３つのデータ（放送データ）を用語処理部１０６内の
第１バッファ２０２ないしは第２バッファ２０３に記憶する（図２）。
【００１５】
ここでセレクタ２０１は未使用のバッファを選択する。通常、放送の初期受信時は第１バッファ２０２が選択される。そして、視聴者が用語説明ボタンを押さないかぎりは、映像データ／音声データはセレクタ２０４を介してＭＰＥＧデコード部１０７に転送され画像重畳部１０８に渡される。
【００１６】
また、字幕データは用語処理部１０６から画像重畳部１０８に渡される。そして、表示部１０９は、映像データと字幕データの画像を重畳して表示する。スピーカ１１０はＭＰＥＧデコード部１０７から渡された音声データを音声として出力する。なお、第１バッファ２０２はファーストイン・ファーストアウトで放送データを処理（記憶、出力）する。
【００１７】
次に、図３を参照して、視聴者がリモコン１００の用語説明ボタンを押したときのデジタルテレビジョン受像機の動作を説明する。
【００１８】
図３のステップ３０１で、視聴者がリモコン１００の用語説明ボタンを押下げると、ＣＰＵ１１１はリモコン１００から受信した制御信号（本発明の「用語表示要求」に相当）に従って、デジタルテレビジョン受像機の動作モードを放送視聴モードから用語説明モードに切り替える。ＣＰＵ１１１は放送データの表示・音声出力を停止させ、第１バッファ２０２に記憶した放送データの停止時の最終アドレスを再生開始情報としてＣＰＵ１１１内のレジスタに記憶させる。
【００１９】
しかし、デジタルテレビジョン受像機は停止後も放送データを受信しているので、第１バッファ２０２にその後の放送データが蓄積されていく、そして、第１バッファ２０２の記憶領域（空き領域）がなくなったら、その時点でセレクタ２０１は第２バッファ２０３に放送データの記憶をするように切り替える。
【００２０】
さらに、用語説明モード中に第２バッファ２０３の空き領域がなくなったら、ＣＰＵ１１１は用語説明モードを解除し、放送視聴モードに戻す。ＣＰＵ１１１はレジスタに記憶した最終アドレスの位置から放送を再開する（再生処理）。また、後述する「用語の説明」を表示した後に所定時間が経過したとき、ＣＰＵ１１１は用語説明モードを解除し、放送視聴モードに戻すようにしてもよい。
【００２１】
ステップ３０２において、用語説明モードに切り替え後、用語抽出部２０５は、セレクタ２０４を介して字幕データを第１バッファ２０２から取り出す。用語表示要求は視聴者が用語の意味を知りたいときに送信される。そのため、第１バッファ２０２から取り出すべき字幕データは用語表示要求を受信する前に記憶された字幕データである。用語抽出部２０５は、用語表示要求を受信してから所定時間前までの字幕データを取り出す。用語抽出部２０５は、用語抽出部２０５内の用語解析辞書をつかって字幕データを構文解析し、検索単位としての単語（用語）の区切りを決定する。構文解析は、英語などの外国語に限らず日本語であっても可能であり、ワープロやパソコンの文書作成ソフトで使用する仮名漢字変換と同じ技術であるため、詳しい説明は省略する。
【００２２】
ステップ３０３において、用語抽出部２０５は、検索対象となる用語の色を字幕文字フォントの色（例えば白とする）と異なった色、例えば赤色に変更し、画像重畳部１０８及び用語選択部２０６へ用語群を含む文章として出力する。視聴者は検索対象となる用語と用語間文字との識別が視覚的に容易にできる。
【００２３】
ステップ３０４において、視聴者が、リモコン１００のカーソル移動ボタンを操作して、説明を知りたい用語にカーソルを合わせてリモコン１００の決定ボタンを押すと、用語
を決定するための制御信号（本発明の「用語選択要求」に相当）がリモコン通信部１１４へ送信される。ＣＰＵ１１１は用語処理部１０６内の用語選択部２０６に検索対象である用語（検索キー）を特定する情報（用語選択情報）を渡す。次に、用語選択部２０６は用語選択情報に従って選択された用語データを取り出し、用語説明取得部２０７に渡す（本発明の「用語選択手段」に相当）。用語選択情報は、用語データそれ自身又は用語郡における用語の位置を示す情報であってもよい。
【００２４】
ステップ３０５において、用語説明取得部２０７は、説明データを取得するために用語辞書２０８に検索対象である用語が登録されているかを検索する。
【００２５】
ステップ３０６において、検索対象である用語が登録されているとき（検索が成功）、ステップ３０７に進む。ステップ３０７において、用語説明取得部２０７は、取得した説明データを用語辞書２０８から用語選択部２０６を介して画像重畳部１０８に転送する。表示部１０９は検索対象である用語と取得した説明データを表示する。
【００２６】
ステップ３０６において、検索対象である用語が登録されていないとき（検索が不成功）、ステップ３０８に進む。ステップ３０８において、用語説明取得部２０７は、通信部１１２を介してインターネット１１３上の検索エンジンに用語データを送信することにより、検索エンジンで検索を実行させる。ここで、通信部に１１２は検索エンジンが処理可能なデータ形式に用語データの形式を変換する（本発明の「検索エンジン連動手段」に相当）。
【００２７】
ステップ３０７において、用語説明取得部２０７は、検索エンジンの検索結果を通信部１１２を介して取得し、画像重畳部１０８を介して表示部１１０に出力する。そして、視聴者が表示部１１０に表示された説明を読んだ後にリモコン１００のリスタートボタンを押すと、ＣＰＵ１１１は、受信した制御信号（再開要求）に従って用語説明モードを解除し、レジスタ内の第１バッファ２０２に記憶された最終アドレスから放送を再開する。
【００２８】
これは、いわゆる追っかけ再生となる。この追っかけ再生中に、受信した放送が、第１（または第２）のバッファの最後まで記録されたならば、第２のバッファ（または第1の
バッファ）の先頭から引き続き放送が上書きで記録され、第１と第２のバッファは巡回的に受信放送のバッファリングのために利用される。追っかけ再生で、第1または第２のバ
ッファからの放送コンテンツの読み取りが、前記最終アドレスからスタートして、第１、第２のバッファを巡回的に読み込んでいくことにより受信放送を、時刻は遅れるが、取りこぼしなく再生できる按配である。
【００２９】
なお、セレクタ２０１が第２バッファ２０３に放送データを書き込んでいるときに用語説明ボタンが押された場合には、上記の説明において、「第２バッファ２０３」に記憶された用語が検索対象となる。
【００３０】
また、用語辞書２０８に含まれる説明データは説明文のほか、静止画、動画、音声を含むマルチメディアデータであってもよい。説明データのデータ形式の例として、ＸＭＬ（ｅＸｔｅｎｓｉｂｌｅ  Ｍａｒｋｕｐ  Ｌａｎｇｕａｇｅ）フォーマットが利用できる。
【００３１】
[第２の実施の形態]
上述の第1の実施の形態では、リアルタイムの放送を視聴しているときに字幕用語の説
明を調べる場合を説明したがこれに限られるものではない。例えば、ビデオレコーダに録画した放送コンテンツを再生して視聴する場合にも、本発明は利用できる。
【００３２】
図４はビデオレコーダに記憶された放送コンテンツを再生する場合の構成例を示す。ビ
デオレコーダ１１５はＣＰＵ１１１と、多重分離部１０５に接続されている。視聴者がリモコン１００の用語説明ボタンを押した後の処理は図３に示す処理と同じである。
【００３３】
しかし、第1の実施の形態のように、セレクタ２０１は放送データを記憶する第１バッ
ファ２０２と第２バッファ２０３を切り替える必要はない。つまり、放送視聴モードから用語説明モードに切り替わるとき、ＣＰＵ１１１がビデオレコーダ１１５に再生一時停止信号を送り、放送コンテンツの再生を一時停止させる。また、視聴者がリモコン１００のリスタートボタンを押したならば、ＣＰＵ１１１がビデオレコーダ１１５に再生再開信号を送り、再生を再開させればよい。
【００３４】
[第３の実施の形態]
第３の実施の形態としては、放送コンテンツの音声データから音声認識技術によって用語抽出する方法がある。つまり、用語処理部１０６内の用語抽出部２０５は、音声認識部を内包する。図３のステップ３０２において、用語説明ボタンが押下されたならば、用語抽出部２０５はセレクタ２０４を介して第１バッファ２０２（または第２バッファ２０３）から音声データを取得する。そして、用語抽出部２０５は音声データを音声認識部によって文字列に変換した後に構文解析を実行する。構文解析後の処理は第１の実施の形態と同様の処理を実行する。このようにして、音声データを利用して用語の説明を取得・表示することもできる。
【００３５】
[第４の実施の形態]
上述の第１〜第３の実施の形態において、表示部１０９が説明データを表示する例を説明したが、音声合成技術を利用して取得した説明データ（説明文）を読み上げてもよい。つまり、ＭＰＥＧデコード部１０７は、音声合成部を内包し、用語処理部１０６から出力された説明データをＭＰＥＧデコード部１０７を経由してスピーカ１１０に音声データとして渡してもよい。ここで、音声合成部は、取得した説明データ（テキスト）を音声データに変換しスピーカ１１０から説明文を音声として出力する。
【００３６】
上述のように、本発明によれば、デジタルテレビ放送などを視聴しているときに、字幕または音声で意味のわからない用語の説明を簡単に取得及び出力させることができる。
【００３７】
本発明によると、用語の説明を文字又は音声により出力することができるので、知的能力についてディサビリティをもつ高齢者や知的障害者のためにも便利な機能を提供できる。
【００３８】
（本発明の他の実施形態）
上述した実施形態において説明した各種機能を実現するために、図２の構成要素のすべてまたは一部の機能をＣＰＵ１１１内のＣＰＵが実行するソフトウェアのプログラムコードとして実現してもよい。そのプログラムコードは不図示の外部メディア読み取り装置によって供給されるか、インターネット１１３から通信部１１２を経由して供給され、ＣＰＵ内のメモリ（この場合は不揮発性のフラッシュメモリとする）に記憶され、ＣＰＵによって実行されるものである。このような用語処理部１０６による実施の形態も本発明の範疇に含まれる。
【００３９】
また、この場合、上記ソフトウェアのプログラムコード自体が上述した実施形態の機能を実現することになり、そのプログラムコード自体は本発明を構成する。また、そのプログラムコードをコンピュータに供給するための手段、例えばかかるプログラムコードを格納した記録媒体は本発明を構成する。かかるプログラムコードを記憶する記録媒体としては、例えばフロッピー（登録商標）ディスク、ハードディスク、光ディスク、光磁気ディスク、ＣＤ−ＲＯＭ、磁気テープ、不揮発性のメモリカード、ＲＯＭ等を用いることがで
きる。
【００４０】
また、コンピュータが供給されたプログラムコードを実行することにより、上述の実施形態の機能が実現されるだけでなく、そのプログラムコードがコンピュータにおいて稼働しているＯＳ（オペレーティングシステム）あるいは他のアプリケーションソフト等と共同して上述の実施形態の機能が実現される場合にもかかるプログラムコードは本発明の実施形態に含まれることは言うまでもない。
【００４１】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって上述した実施形態の機能が実現される場合にも本発明に含まれることは言うまでもない。
【００４２】
なお、上記実施形態は、何れも本発明を実施するにあたっての具体化のほんの一例を示したものに過ぎず、これらによって本発明の技術的範囲が限定的に解釈されてはならないものである。すなわち、本発明はその技術思想、またはその主要な特徴から逸脱することなく、様々な形で実施することができる。
【図面の簡単な説明】
【００４３】
【図１】図１は第1の実施の形態の構成図を示す。
【図２】図２は用語処理部の構成例を示す。
【図３】図３は用語検索のフローチャートを示す。
【図４】図４は第２の実施の形態の構成図を示す。
【符号の説明】
【００４４】
１０１  受信アンテナ
１０２  選局部
１０３  ＯＦＤＭ復調部
１０４  誤り訂正部
１０５  多重分離部
１０６  用語処理部
１０７  ＭＰＥＧデコード部
１０８  画像重畳部
１０９  表示部
１１０  スピーカ
１１１  ＣＰＵ
１１２  通信部
１１３  インターネット
１１４  リモコン通信部
１１５  ビデオレコーダ
２０１  セレクタ
２０２  第１バッファ
２０３  第２バッファ
２０４  セレクタ
２０５  用語抽出部
２０６  用語選択部
２０７  用語説明取得部
２０８  用語辞書部
【図１】
2006262245.tif 000003
【図２】
2006262245.tif 000004
【図３】
2006262245.tif 000005
【図４】
2006262245.tif 000006